(57)【特許請求の範囲】
【請求項１】
周囲部が枠体で囲まれ、所定方向に沿って配列される複数の液晶ディスプレイと、これら複数の液晶ディスプレイの枠体を遮蔽する単一の外観ディスプレイカバーとからなる多面液晶ディスプレイユニットを複数用意し、これら多面液晶ディスプレイユニットをその液晶ディスプレイの配列方向に沿って連結する多面液晶ディスプレイユニットの連結方法において、
前記外観ディスプレイカバーの両端部を、切断面が前記液晶ディスプレイの枠体の側端面と面一になるように切断し、
前記外観ディスプレイカバーの切断面同士を接合して前記多面液晶ディスプレイユニットを互いに連結することを特徴とする多面液晶ディスプレイユニットの連結方法。
【請求項２】
前記外観ディスプレイカバーの切断面はカバーによって開閉自在に閉塞され、このカバーは前記多面液晶ディスプレイユニットを連結する際に取り外されることを特徴とする請求項１記載の多面液晶ディスプレイユニットの連結方法。
【請求項３】
前記複数の多面液晶ディスプレイユニットは、該複数の多面液晶ディスプレイユニットの後部側に並列に配置されるレール部材にジョイント部材を介して保持されることを特徴とする請求項１又は２記載の多面液晶ディスプレイユニットの連結方法。
【発明の詳細な説明】
【技術分野】
【０００１】
本発明の実施形態は、多面液晶ディスプレイユニットの連結方法に関する。
【背景技術】
【０００２】
多面液晶ディスプレイは、複数枚の液晶ディスプレイを所定方向に沿って配列することにより構成されている。この多面液晶ディスプレイでは、各液晶ディスプレイ毎に異なる内容の画像を表示したり、或いは一つの画像を複数枚の液晶ディスプレイにそれぞれ分割して表示するようになっている。
【０００３】
上記複数枚の液晶ディスプレイは、その周囲部がそれぞれ枠体によって囲まれ、これら枠体は、美観上、目立たないように単一の外観ディスプレイカバーによって遮蔽されている。複数枚の液晶ディスプレイと一つの外観ディスプレイカバーとによって多面液晶ディスプレイユニットが構成されている。
【０００４】
ところで、上記した多面液晶ディスプレイユニットは、単一で用いられる場合もあるが、複数連結して用いられる場合もある。
【０００５】
しかしながら、多面液晶ディスプレイユニットを単一で用いる場合には問題はないが、複数連結して用いる場合には以下のような問題が生じていた。
【０００６】
即ち、従来においては、多面液晶ディスプレイユニットを単に複数連結していたため、多面液晶ディスプレイユニットの連結部にはそれぞれの外観ディスプレイカバーの端部が介在されることになり、その分、連結部を境として隣接する液晶ディスプレイの離間幅が他のエリアの液晶ディスプレイ間の離間幅よりも大きくなり、液晶ディスプレイの配置バランスが悪くなってしまうという問題があった。
【先行技術文献】
【特許文献】
【０００７】
【特許文献１】特開平９−１９０１５８号公報
【発明の概要】
【発明が解決しようとする課題】
【０００８】
実施の形態が解決しようとする課題は、多面液晶ディスプレイユニットを複数連結した場合でも、液晶ディスプレイの配置バランスを良好に維持できるようにした多面液晶ディスプレイユニットの連結方法を提供することにある。
【課題を解決するための手段】
【０００９】
上記の課題を解決するため、実施の形態は、周囲部が枠体で囲まれ、所定方向に沿って配列される複数の液晶ディスプレイと、これら複数の液晶ディスプレイの枠体を遮蔽する単一の外観ディスプレイカバーとからなる多面液晶ディスプレイユニットを複数用意し、これら多面液晶ディスプレイユニットをその液晶ディスプレイの配列方向に沿って連結する多面液晶ディスプレイユニットの連結方法において、前記外観ディスプレイカバーの両端部を、切断面が前記液晶ディスプレイの枠体の側端面と面一になるように切断し、前記外観ディスプレイカバーの切断面同士を接合して前記多面液晶ディスプレイユニットを互いに連結する。
【図面の簡単な説明】
【００１０】
【図１】一実施形態である第１及び第２の多面液晶ディスプレイユニットが連結された状態を示す外観斜視図。
【図２】図１の第１及び第２の多面液晶ディスプレイユニットが連結される前の状態を示す図。
【図３】図２の多面液晶ディスプレイユニットから外観ディスプレイカバーを取り外した状態を示す斜視図。
【図４】図２の多面液晶ディスプレイユニットから取り外された外観ディスプレイカバーを示す斜視図。
【図５】図２の外観ディスプレイカバーの端部からカバーが取り外され状態を示す斜視図。
【図６】図２の多面液晶ディスプレイユニットの外観ディスプレイカバーの両端部が切断される前の状態を示す正面図。
【図７】図６の多面液晶ディスプレイユニットを従来の方法で連結した状態を示す正面図。
【図８】図６の多面液晶ディスプレイユニットの外観ディスプレイカバーの両端部を切断した状態を示す正面図。
【図９】図８の多面液晶ディスプレイユニットを連結した状態を示す正面図。
【発明を実施するための形態】
【００１１】
以下、実施の形態について、図面を参照して説明する。
【００１２】
図１は、一実施の形態である多面液晶ディスプレイ装置１を示す外観斜視図である。
【００１３】
この液晶ディスプレイ装置１は、第１及び第２の多面液晶ディスプレイユニット２，３を連結することにより構成されている。第１及び第２の多面液晶ディスプレイユニット２，３は、後述する液晶ディスプレイ４の配列方向に沿って連結されている。この多面液晶ディスプレイ装置１は、各液晶ディスプレイ４毎に異なる内容の画像を表示したり、或いは一つの画像を複数枚の液晶ディスプレイ４にそれぞれ分割して表示するようになっている。
【００１４】
図２は、上記した第１及び第２の多面液晶ディスプレイユニット２，３の連結前の状態を示す斜視図である。
【００１５】
第１及び第２の多面液晶ディスプレイユニット２，３は、それぞれ複数枚（例えば３枚）の液晶ディスプレイ４を備えているとともに、単一の外観ディスプレイカバー５を備えている。
【００１６】
図３は、ディスプレイユニット２，３から外観ディスプレイカバー５を取り外した状態を示す斜視図である。
【００１７】
複数枚の液晶ディスプレイ４はその周囲部が枠体６によってそれぞれ囲まれ、所定方向に沿って並列に配列されている。枠体６の幅寸法は「ｈ」となっている。
【００１８】
図４は外観ディスプレイカバー５を示す外観斜視図である。
【００１９】
外観ディスプレイカバー５は、複数枚（例えば３枚）の液晶ディスプレイ４の枠体６を遮蔽してその美観を保つものである。
【００２０】
この外観ディスプレイカバー５は、複数枚の液晶ディスプレイ４を外部に露出させるための開口部５ａを複数有するとともに、液晶ディスプレイ４の枠体６を遮蔽する遮蔽部を複数有する。即ち、両端部の遮蔽部５ｂ、５ｃ、さらに中間部の遮蔽部５ｄ，５ｅを有している。両端部の遮蔽部５ｂ，５ｃの幅寸法は、液晶ディスプレイ４の枠体６の幅寸法「ｈ」に対応して「ｈ」となっている。また、中間部の遮蔽部５ｄ，５ｅの幅寸法は液晶ディスプレイ４の枠体６同士が接合する部分の幅寸法に「２ｈ」に対応して「２ｈ」となっている。
【００２１】
また、第１及び第２のディスプレイユニット２，３の両端部には図２に示すようにＬ字型に形成されるカバー７が着脱自在に取り付けられている。このカバー７が取り外されると、図５に示すように、液晶ディスプレイ４の枠体６の側端面６ａが外観ディスプレイカバー５の端面５ｆと面一の状態で露出されるようになっている。
【００２２】
外観ディスプレイカバー５の端面５ｆは、外観ディスプレイカバー５の両端部が後述するように垂直方向に沿って切断されることにより形成されたものである。
【００２３】
切断前の外観ディスプレイカバー５の両端部の厚さ寸法は、図６に示すように、「ｈ′」となっている。
【００２４】
従って、外観ディスプレイカバー５の両端部を切断しない状態で、単に第１及び第２の多面液晶ディスプレイユニット２，３を連結した場合には、図７に示すように、連結部に外観ディスプレイカバー５の両端部（厚さ寸法２ｈ′）が介在され、連結部を介して隣接する液晶ディスプレイ４間の離間幅（２ｈ＋２ｈ′）が他のエリアの液晶ディスプレイ４間の離間幅（２ｈ）よりも大きくなってしまう。このため、液晶ディスプレイ４の配置バランスが悪くなってしまうという問題がある。
【００２５】
そこで、この実施の形態では、図８に示すように、外観ディスプレイカバー５の両端部（厚さ寸法ｈ′）を斜線で示すように切断し、その切断した端面５ｆ同士を図９に示すように接合して第１及び第２の多面液晶ディスプレイユニット２，３を連結している。
【００２６】
この連結後、第１及び第２の多面液晶ディスプレイユニット２，３は図１に示すレール部材１２にジョイント部材１３を介して保持され、両端部側にはカバー７が取り付けられ、さらに連結部の上面部側には連結用カバー１４が取り付けられて組み立てが終了する。
【００２７】
上記したように、この実施の形態によれば、外観ディスプレイカバー５の両端部（厚さ寸法ｈ′）を切断し、この切断した端面５ｆ同士を接合させて第１及び第２の多面液晶ディスプレイユニット２，３を連結するため、連結部を境として隣接する液晶ディスプレイ４間の離間幅（２ｈ）と他のエリアの液晶ディスプレイ４間の離間幅（２ｈ）とを等しくすることができる。
【００２８】
従って、多面液晶ディスプレイユニット２，３を複数連結しても、液晶ディスプレイ４の配置バランスを良好に維持できる利点がある。
【００２９】
なお、上記した実施の形態では、多面液晶ディスプレイユニットを２個連結する場合について説明したが、これに限られることなく、多面液晶ディスプレイユニットを３個以上連結するものであってもよい。
【００３０】
上記した実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３１】
２，３…多面液晶ディスプレイユニット、４…液晶ディスプレイ、５…外観ディスプレイ、５ｆ…切断面、６…枠体、７…カバー、１２…レール部材、１３…ジョイント部材。
【図１】
0005433655.tif 000002
【図２】
0005433655.tif 000003
【図３】
0005433655.tif 000004
【図４】
0005433655.tif 000005
【図５】
0005433655.tif 000006
【図６】
0005433655.tif 000007
【図７】
0005433655.tif 000008
【図８】
0005433655.tif 000009
【図９】
0005433655.tif 000010